(57)【要約】【課題】本発明の課題は、コンパクトに収納出来、かつ密閉性の良い浴槽蓋を提供することにある。【解決手段】二層以上のプラスチックを積層した積層シート２からなり、該積層シート２は下面が加熱された時、下層のプラスチックシート２Ｂが上層のプラスチックシート２Ａよりも熱収縮率が大きいか、あるいは上層のプラスチックシート２Ａが下層のプラスチックシート２Ｂよりも熱膨張率が大きくなるように設定して上側に凸に反るようにされている浴槽の蓋２を提供する。該蓋（シート２）にあっては、浴槽１上面被覆状態で浴槽１内の温水によって加熱された時、上側シート２Ａと下側シート２Ｂとの間の熱収縮率または熱膨張率の差によって上側に凸に反る傾向を示す。【選択図】  図３
2005287914.tif 000002
【特許請求の範囲】
【請求項１】
二層以上のプラスチックを積層した積層シートからなり、該積層シートは下面が加熱された時、下層のプラスチックシートが上層のプラスチックシートよりも熱収縮率が大きいか、あるいは上層のプラスチックシートが下層のプラスチックシートよりも熱膨張率が大きくなるように設定して上側に凸に反るようにされていることを特徴とする浴槽の蓋。
【請求項２】
該積層シートの中間には多孔質シートが介在されている請求項１に記載の浴槽の蓋。
【請求項３】
該積層シートは不使用時にはロール軸に巻き取られている請求項１または２に記載の浴槽の蓋。
【発明の詳細な説明】
【技術分野】
【０００１】
本発明は浴槽の蓋に関するものである。
【背景技術】
【０００２】
従来から図６に示すような中空直方体(23)を可塑性シート(24)で連結した樹脂製浴槽蓋(22)が提供されているが、該浴槽蓋(22)は不使用時、巻いた状態で戻り易く、また巻いた状態で立てておくと倒れ易く、更に重量も大きく取扱かいにくいものであり、更に浴槽のサイズ（長さ）に対応して種々のサイズのものを用意する必要がある（例えば特許文献１〜４参照）。
このような浴槽蓋を改良するものとして、従来プラスチックシートを浴槽蓋の本体とし、これをロールに巻いた構成（例えば特許文献５〜７参照）が提供されている。
【０００３】
【特許文献１】実開昭５９−１７８１８４のマイクロフィルム
【特許文献２】実公昭５６−９４３１号公報
【特許文献３】特開昭６３−１１７７２１号公報
【特許文献４】実公昭６０−６３０８号公報
【特許文献５】実公平８−８７０８号公報
【特許文献６】実第２５５５１４２号公報
【特許文献７】実第２５３２２０２号公報
【発明の開示】
【発明が解決しようとする課題】
【０００４】
上記従来構成にあっては、図７に示すようにロール(33)を浴槽(31)の一端に固定しておいてロール(33)の下側からプラスチックシート(32)を引出して浴槽(31)上面を被覆するので、プラスチックシート(32)の巻きぐせによって、該シート(32)が下側に凸になるように反り、浴槽(31)の上面から浮上がって密閉性が悪化するという問題がある。
【課題を解決するための手段】
【０００５】
本発明は上記従来の課題を解決するための手段として、二層以上のプラスチックを積層した積層シート(2) からなり、該積層シート(2) は下面が加熱された時、下層のプラスチックシート(2B)が上層のプラスチックシート(2A)よりも熱収縮率が大きいか、あるいは上層のプラスチックシート(2A)が下層のプラスチックシート(2B)よりも熱膨張率が大きくなるように設定して上側に凸に反るようにされている浴槽(1) の蓋(2) を提供するものである。
該積層シート(2) の中間には多孔質シート(2C)が介在されていることが望ましく、通常該積層シート(2) は不使用時にはロール軸(4) に巻き取られている。
【発明の効果】
【０００６】
〔作用〕
本発明の浴槽(1) の蓋(2) によって浴槽(1) 上面を被覆すると、浴槽(1) 内の温水によって該蓋(2) の下面が加熱される。該蓋(2) は下面が加熱された時、下層のプラスチックシート(2B)が上層のプラスチックシート(2A)よりも熱収縮率が大きいか、あるいは上層のプラスチックシート(2A)が下層のプラスチックシート(2B)よりも熱膨張率が大きくなるように設定されているので、上側に凸になるように反る傾向を示し、ロール軸(4) に巻いた場合の上側に凹に反る傾向の巻きぐせが相殺され、該蓋(2) は浴槽(1) の上面から浮上がらないようになる。該蓋(2) にあっては、シート(2) の引出し長さによって、浴槽(1) の種々なサイズに対応出来る。
【０００７】
上層のプラスチックシート(2A)と下層のプラスチックシート(2B)の間には多孔質シート(2C)が介在されていると、該多孔質シート(2C)の断熱性によって、浴槽(1) 内の温水が保温される。
【０００８】
〔効果〕
したがって、本発明にあっては、不使用時にはロール巻きすればコンパクトに収納出来、使用時にはロールから引出して浴槽上面に密着させることが出来、また引出し長さによって種々なサイズの浴槽に対応出来る浴槽蓋が提供される。
【発明を実施するための最良の形態】
【０００９】
以下、本発明を実施例により詳細に説明する。
本発明を図１〜図３に示す一実施例によって説明すれば、(2) は蓋の本体である積層シートであって、該シート(2) にあっては、長手方向の熱収縮率の小さいプラスチックシート(2A)を上側に配し、長手方向の熱収縮率の大きいプラスチックシート(2B)が下側に配される。
該プラスチックシート(2A,2B) は、ポリエチレンシート、ポリプロピレンシート、ポリエステルシート、ポリ塩化ビニルシート等からなり、熱収縮率はシートの一軸延伸度、シートの厚み、シートの材質等によって調節される。
【００１０】
なお上側シート(2A)の表面には模様、文字、マーク等の意匠を施してもよい。該意匠は例えば印刷、電気植毛等によって施される。
更にシート(2) の下面には断熱効果を向上させるために金属薄膜が形成されてもよい。該金属薄膜はアルミニウム、銅、ニッケル、クロム、鉄等の金属を蒸着、無電解メッキ等によって形成される。
【００１１】
上記積層シート(2) は軸受け枠(3) に横方向に支持されているロール軸(4) に巻き取られ、不使用時には該ケーシング(3) 内に収納される。該ロール軸(4) は図２矢印イに示すように、図示しないバネによってシート(2) を巻き取り方向に付勢されている。
該積層シート(2) の先端部には硬質プラスチックや金属等からなる縁取り枠(5) が取付けられており、該縁取り枠(5) の下側には複数個（３個）の吸盤(6) が取付けられている。
一方軸受け枠(3) の下面にも吸盤(7) が取付けられており、該軸受け枠(3) は該吸盤(7) によって浴槽(1) の一端縁上面に取付けられ、蓋をする時には該シート(2) を引出して該浴槽(1) の他端縁に吸盤(6) によって固定する。
【００１２】
上記シート(2) によって浴槽(1) 上面を被覆すると、該シート(2) は浴槽(1) 内の温水によって加熱され、上下シート(2A,2B) の長手方向の熱収縮率の差によって、図３点線に示すように下側に反る傾向を示し、上側に反る傾向の巻きぐせが相殺され、浴槽(1) の上面から浮上がらない。
【００１３】
上側シート(2A)と下側シート(2B)とは長手方向の熱収縮率の等しいものが使用されてもよい。何となれば浴槽(1) に蓋をした状態で該積層シート(2) は浴槽(1) 内の温水によって下側が選択的に加熱されるので、下側シート(2B)の方が上側シート(2A)よりも熱収縮が顕著に起こる。
【００１４】
上記実施例以外、上側シート(2A)の熱膨張率を下側シート(2B)の熱膨張率よりも大きく設定してもよい。また図４に示すように上側シート(2A)と下側シート(2B)との間に多孔質シート(2C)を介在せしめたシート(12)が使用されてもよい。上記多孔質シート(2C)としては例えばポリウレタン発泡体シート、ポリエチレン発泡体シート、ポリプロピレン発泡体シート等の発泡プラスチックシート、繊維編織物、繊維不織布等の繊維シートが使用される。発泡プラスチックシートの場合は通常１５倍〜２５倍の発泡倍率のものが使用される。
【００１５】
上記構造のシート(2) は介在する多孔質シートによって保温性が向上する。また上側シート(2A)と下側シート(2B)とに同じ熱収縮率のものを使用しても、使用状態では浴槽(1) 中の温水の温度は多孔質シート(2C)によって殆ど上側シート(2A)には伝わらないので、下側シート(2B)のみが選択的に加熱され収縮する。更に該シート(12)の場合も、表面に意匠が施されてもよく、また下面には金属薄膜が形成されてもよい。
【００１６】
図５には本発明の他の実施例が示される。この実施例では図４に示すシート(12)を使用して中央部分に首出し孔(8) を設ける。該首出し孔(8) は入浴者の首が出せる大きさにされ、直径は２０〜３０cm程度とされる。なおシート(12)は中間に多孔質シート(2C)が介在されているので、小口から水分が多孔質シート(2C)内に侵入し、カビが発生するのを防ぐため、シート(12)の周縁と首出し孔(8) 周縁とには縁取り(9) が施される。該縁取り(9) は上側または下側シート(2A,2B) と同様なプラスチックを材料とする。
【００１７】
この実施例のシート(12)は、入浴者が浴槽に入った状態で浴槽上面を被覆し、該入浴者が首出し孔(8) から首を出す。そうすると浴槽内に水蒸気が充満してサウナ効果が得られる。
【産業上の利用可能性】
【００１８】
本発明の浴槽蓋はシートであるから、不使用時には巻いてコンパクトに収納出来、使用時には浴槽上面から浮上がらず、浴槽の密閉性に富む。
【図面の簡単な説明】
【００１９】
図１〜図３は本発明の一実施例を示すものである。
【図１】シート断面図
【図２】使用状態斜視図
【図３】使用状態側面図
【図４】他の実施例のシート断面図
【図５】他の実施例のシートの斜視図
【図６】従来例の浴槽蓋の断面図
【図７】他の従来例の浴槽蓋の斜視図
【符号の説明】
【００２０】
1      浴槽
2,12   蓋（積層シート）
2A     上側シート（上層のプラスチックシート）
2B     下側シート（下層のプラスチックシート）
2C     多孔質シート
4      ロール軸
【図１】
2005287914.tif 000003
【図２】
2005287914.tif 000004
【図３】
2005287914.tif 000005
【図４】
2005287914.tif 000006
【図５】
2005287914.tif 000007
【図６】
2005287914.tif 000008
【図７】
2005287914.tif 000009